【手続補正書】
【提出日】平成16年10月1日(2004.10.1)
【手続補正１】
【補正対象書類名】明細書
【補正対象項目名】全文
【補正方法】変更
【補正の内容】
【書類名】       明細書
【発明の名称】   ブロック玩具
【特許請求の範囲】
【請求項１】磁石体または磁石につく性質を有する金属のいずれか一を内部に組み入れて、玩具用ブロックを構成し、該玩具用ブロックを複数個混在させて構成したことを特徴とするブロック玩具。
【発明の詳細な説明】
【０００１】
【発明の属する技術分野】
本発明は、磁力によりブロック同士を合体して、任意の形状を立体的に構築するブロック玩具に関する。尚、以後の説明において、ブロックの内部に磁石を組み入れた構造の玩具用ブロックを磁石ブロック、ブロックの内部に磁石に付く性質の金属を組み入れた構造の玩具用ブロックを金属ブロック、ブロックの内部に磁石と、磁石に付く性質の金属の両方を組み入れた構造の玩具用ブロックを、両性ブロックと記載する。また、以後の説明において、磁石に付く性質の金属を、単に金属と記載する。
【０００２】
【従来の技術】
従来のブロック玩具は、凸部となる出っ張った部分を、凹部となる穴、または窪み、あるいは隙間に差し込んでブロック同士を合体し、目的とする形状に組み立てる構造となっている。
【０００３】
【発明が解決しようとする課題】
したがって、従来のブロック玩具は、ブロックの単体１つ１つに、合体するための凹部と凸部が必要となる。そのためブロック同士が合体できるのは、凹部、あるいは凸部に限られることになり、目的としたものを精密に組み立てるにあたっては不都合が生じた。また、凹部と凸部を合体させるには、ある程度の力と要領が必要となり、幼児など手や指の力が乏しい者にとっては、合体させるのが困難な場合もある。
【０００４】
【課題を解決するための手段】
本発明のブロック玩具は、磁石体または磁石につく性質を有する金属のいずれか一を内部に組み入れて、玩具用ブロックを構成し、該玩具用ブロックを複数個混在させて構成したことを特徴とするブロック玩具である。ブロックの内部に磁石を組み入れた磁石ブロックと、ブロックの内部に金属を組み入れた金属ブロックと、ブロックの内部に磁石と金属を組み入れた両性ブロックのうち、いずれかを混在して使用し、ブロック同士を磁力により合体させる。よって凹部と凸部を必要とすることなく任意の形状を立体的に構築することができる。これにより、従来技術ではなし得なかった精巧かつ緻密な組み立てが可能となる。また、本発明のブロック玩具を、砂場の砂に擬似した形状にすることで、仮想砂場として用いることができる。あるいは、組み立て図を参照して記載された物体を組み立てる、立体的なパズルとしての使用も可能である。
【０００５】
【発明の実施の形態】
本発明のブロック玩具単体の形状は、磁石ブロック、金属ブロック、両性ブロックとも立体形状であれば特に限定されず、例えば、球体、円柱形、円錐形、三角錐、多面体を有しており、組み立てを行うにあたり必要な形状を使用する。加えて、ブロックの表面に、起伏あるいは溝による模様や線を形成する場合もある。また、ブロック単体の色や模様については適宜選定できる。
【０００６】
以下に本発明の実施の形態を、図１から図１０に基づいて説明する。図１から図６は、ブロック同士を磁力により合体するための、ブロック玩具の内部構造について示す。尚、先述したとおり、本発明のブロック玩具は、球状、多面体などのあらゆる形状を有するが、ここでの説明では、正方体のブロック玩具を例にあげて説明する。図７から図１０は、本発明の使用例について示す。
【０００７】
（１）ブロックの内部に磁石および金属を組み込む構造。図１は、磁石ブロックおよび、金属ブロックの断面図を示す。磁石ブロックと金属ブロックは、構造上似ているので、図１を用いてこれら両方のブロックを説明する。磁石ブロック図１は、プラスチックにより形成されたブロック本体１の内部に、磁石２１を組み入れた構造となっている。磁石２１の個数と大きさについては、ブロック本体１に組み入れられる範囲内であれば制限はなく、磁石ブロック図１が必要とする磁力に合わせて選定する。金属ブロック図１は、プラスチックにより形成されたブロック本体１の内部に、金属２２を組み入れた構造となっている。金属２２の個数と大きさについても、磁石ブロック図１同様に、ブロック本体１に組み入れられる範囲内であれば制限はない。図2は、両性ブロックの断面図を示す。プラスチックにより形成されたブロック本体１ａの内部に、磁石２１ａと金属２２ｂを組み入れた構造となっている。磁石２１ａと金属２２ｂの個数と大きさについては、ブロック本体１ａに組み入れられる範囲内であれば制限はない。
【０００８】  
（２）ブロック本体の内壁に磁石および金属を組み込む構造。図３は、磁石ブロックおよび、金属ブロックの断面図を示す。磁石ブロックと金属ブロックは構造上似ているので、図３を用いて、これら両方のブロックを説明する。磁石ブロック図３は、ブロック本体３を形成する面の内壁部に、板状の磁石４１を取り付けた構造となる。板状の磁石４１の個数と大きさについては、ブロック本体１の内壁に取り付けられる範囲内であれば制限はない。金属ブロック図３は、ブロック本体３を形成する面の内壁部に、板状の金属４２を取り付けた構造となる。金属４２の個数と大きさについても、磁石ブロック図3同様に、ブロック本体３の内壁に取り付けられる範囲内であれば制限はない。図４は、両性ブロックの断面図を示す。ブロック本体３ａを形成する面の内壁部に、板状の磁石４１ａと金属４２ｂを取り付け、磁石４１ａを取り付けた面と、金属４２ｂを取り付けた面を有する構造となる。磁石４１ａと金属４２ｂの個数と大きさについては、ブロック本体３ａの内壁に取り付けられる範囲内であれば制限はない。
【０００９】
（３）ブロック本体の表面に磁石および金属を埋め込む構造。図５は、磁石ブロックおよび、金属ブロックの断面図を示す。磁石ブロックと金属ブロックは構造上似ているので、図５を用いて、これら両方のブロックを説明する。磁石ブロック図５は、ブロック本体５の面に窪みを形成し、その窪みに磁石６１を取り付けた構造となる。磁石６１の表面とブロック本体５の表面とが同じ高さになるように磁石６１取り付ける。すなわち、磁石６１がブロック本体５の１面をなし、プラスチックに覆われることなく外部に露出する構造となる。金属ブロック図５も、磁石ブロック図５と同様に、ブロック本体５の面に窪みを形成し、その窪みに金属６２を取り付けた構造となる。この場合も、ブロック本体５の表面と、金属６２の表面とに段差が生じないように金属６２を取り付ける。図６は、両性ブロックの断面図を示す。磁石ブロック図５、および金属ブロック図５と同じ要領で、ブロック本体５ａの表面に窪みを形成し、その窪みに磁石６１ａあるいは金属６２ｂを取り付ける。すなわち両性ブロックは、磁石６１ａを取り付けた面と、金属６２ｂを取り付けた面を有する構造となる。
【００１０】
（４）ブロック本体の材料に磁石および金属を含有させる構造。ブロック本体の材料となるプラスチックに、磁石および金属を含有させて、磁石ブロック、金属ブロック、両性ブロックを作成する。粉末状の磁石を含有させたプラスチックを材料として、ブロック玩具を作成すると、磁石ブロックができる。また、粉末状の金属を含有させたプラスチックを材料として、ブロック玩具を作成すると、金属ブロックができる。また、磁石を含有したプラスチックにより作成した部分と、金属を含有したプラスチックにより作成した部分を合わせて１つのブロックを形成すると、両性ブロックができる。この方法を用いれば、ブロックの内部に磁石や金属を組み込む必要なく、磁石ブロック、金属ブロック、両性ブロックを作成することができる。
【００１１】
以上、構造の異なる４種類のブロック玩具を記述したが、いずれの構造においても、必ずしも、金属ブロックと磁石ブロックと両性ブロックの全ての種類を使用する必要はなく、磁石ブロックのみ、あるいは両性ブロックのみで使用しても、組み立てを行うことは可能である。しかし、同じ極のブロックの面同士が向き合った場合、磁力による反発が起こり、ブロック同士が合体できない場合がある。そこで、金属ブロックを、磁石ブロック、あるいは両性ブロックと混在させて使用することで、磁力によるブロック同士の反発を防止できる。図７は、本発明のブロック玩具同士を用いて組み立てた例である。磁力により合体するため、ブロック玩具のどの面でも接続が可能となる。
【００１２】
また、磁石ブロック、金属ブロック、両性ブロックを見た目で区別するため、それぞれのブロック玩具の表面部分に、目印となるマークを記載するのが好ましい。
【００１３】  
図８は、本発明の両性ブロックを、砂場の砂と同形状か、それに近い形状に形成して、擬似的な砂場として使用した実施例を示す。直径５ｍｍの球状に形成した両性ブロック７を多数用意する。それらを、手で集め固めることで、山などの形状が作成でき、砂場と同様の遊びができる。
【００１４】  
本発明の磁石ブロックを用いた立体パズルとしての使用例を以下に記す。完成形状を記した組み立て図と、完成形状に組み立てるための金属フレームと、完成形状に組み立てるための本発明の磁石ブロックを用いる。組み立て図を参照しながら、色、形状から判断して選んだ磁石ブロックを、金属フレームの適切な箇所に取り付けて、組み立て図に記した完成形状を組み立てる。図９は、植物を完成形状とする金属フレームを示す。図１０は、組み立て図に従い、金属フレーム図９に、本発明のブロック玩具を組み付けた完成形状を示す。
【００１５】
【発明の効果】
以上記した様に、本発明を用いれば、あらゆる形状のブロック同士が、各々
全ての面で合体するとができるので、精巧かつ緻密な組み立てが可能となる。
【図面の簡単な説明】
【図１】  磁石ブロックと金属ブロックの断面図
【図２】  両性ブロックの断面図
【図３】  磁石ブロックと金属ブロックの断面図
【図４】  両性ブロックの断面図
【図５】  磁石ブロックと金属ブロックの断面図
【図６】  両性ブロックの断面図
【図７】  本発明のブロック玩具の組み立て例
【図８】  擬似的砂場
【図９】  立体パズルに用いる金属フレーム
【図１０】  立体パズル完成図
【符号の説明】
１  ブロック本体
１ａ  ブロック本体
２１  磁石
２２  金属
２１ａ  磁石
２２ｂ  金属
３  ブロック本体
３ａ  ブロック本体
４１  磁石
４２  金属
４１ａ  磁石
４２ｂ  金属
５  ブロック本体
５ａ  ブロック本体
６１  磁石
６２  金属
６１ａ  磁石
６２ｂ  金属  
７  砂状両性ブロック
【手続補正２】
【補正対象書類名】図面
【補正対象項目名】図２
【補正方法】変更
【補正の内容】
【図２】
2003111983.tif 000001
【手続補正３】
【補正対象書類名】図面
【補正対象項目名】図４
【補正方法】変更
【補正の内容】
【図４】
2003111983.tif 000002
【手続補正４】
【補正対象書類名】図面
【補正対象項目名】図６
【補正方法】変更
【補正の内容】
【図６】
2003111983.tif 000003